(57)【要約】【課題】有機性廃棄物を有効利用することで環境保護対策に寄与する有機性廃棄物燃料混合供給技術を提供する。【解決手段】有機性廃棄物を反応器に投入し、反応器に投入した前記有機性廃棄物を加熱し、加熱した前記有機性廃棄物から水分を除去し、前記水分から水溶性または高含水率の有機性廃棄物を抽出し、水分調整した前記有機性廃棄物をスラリー燃料化し、水溶性または高含水率の有機性廃棄物をメタン発酵処理し、発生したメタンガスをバイオガスとして抽出し、前記スラリー燃料を燃焼装置の燃料として供給し、前記バイオガスを空気と混合して前記燃焼装置の吸気側に供給するようにした。【選択図】  図１
2004161973.tif 000002
【特許請求の範囲】
【請求項１】
有機性廃棄物から亜臨界水中或いは超臨界水中で反応させて生成したスラリー燃料と有機性廃棄物から生成したバイオガスとを混合して燃焼装置に供給する、有機性廃棄物燃料混合供給方法。
【請求項２】
有機性廃棄物を反応器に投入し、反応器に投入した前記有機性廃棄物を加熱する加熱工程と、
加熱した前記有機性廃棄物から水分を除去し、前記水分から水溶性または高含水率の有機性廃棄物を抽出して、水分調整した前記有機性廃棄物をスラリー燃料化するスラリー燃料化工程と、
水溶性または高含水率の有機性廃棄物をメタン発酵処理して、発生したメタンガスをバイオガスとして抽出するバイオガス抽出工程と、
前記スラリー燃料を燃焼装置の燃料として供給するスラリー燃料供給工程と、
前記バイオガスを空気と混合して前記燃焼装置の吸気側に供給する混合気供給工程とからなる、請求項１に記載の有機性廃棄物燃料混合供給方法。
【請求項３】
前記スラリー燃料とバイオガスとの生成量に応じて、燃焼装置に供給するスラリー燃料とバイオガスとの燃料の供給比率を調整する供給比率調整工程を行う、請求項２に記載の有機性廃棄物燃料混合供給方法。
【請求項４】
前記加熱工程では、
前記バイオガス抽出工程で抽出したバイオガスを用いて有機性廃棄物を加熱する、請求項２または３に記載の有機性廃棄物燃料混合供給方法。
【請求項５】
有機性廃棄物から生成したスラリー燃料と有機性廃棄物から生成したバイオガスとを混合して燃焼装置に供給する供給手段を備える、有機性廃棄物燃料混合供給システム。
【請求項６】
有機性廃棄物を反応器に投入して、反応器に投入した前記有機性廃棄物を加熱する加熱手段と、
加熱した前記有機性廃棄物から水分を除去し、前記水分から水溶性または高含水率の有機性廃棄物を抽出して、水分調整した前記有機性廃棄物をスラリー燃料化するスラリー燃料化手段と、
水溶性または高含水率の有機性廃棄物をメタン発酵処理して、発生したメタンガスをバイオガスとして抽出するバイオガス抽出手段と、
前記スラリー燃料を燃焼装置の燃料として供給するスラリー燃料供給手段と、
前記バイオガスを空気と混合して前記燃焼装置の吸気側に供給する混合気供給手段とを備える、請求項５に記載の有機性廃棄物燃料混合供給システム。
【請求項７】
前記スラリー燃料とバイオガスとの生成量に応じて、燃焼装置に供給するスラリー燃料とバイオガスとの燃料の供給比率を調整する供給比率調整手段を備える、請求項６に記載の有機性廃棄物燃料混合供給システム。
【請求項８】
前記加熱手段が、
前記バイオガス抽出工程で抽出したバイオガスを用いて有機性廃棄物を加熱する、請求項６又は７に記載の有機性廃棄物燃料混合供給システム。
【発明の詳細な説明】
【０００１】
【発明の属する技術分野】
本発明は有機性廃棄物燃料混合供給技術に関するものである。
【０００２】
【従来の技術】
一般に、木屑、食品廃棄物、植物性廃棄物、動物性廃棄物等の有機性廃棄物（バイオマス）は、焼却処理が為された後に残留物である灰を埋め立て処理等がされていた。そして、焼却処理時に発生する廃棄物の燃焼熱は、ボイラーやガスタービンの熱源として利用していた。
【０００３】
ところで、前述の焼却処理では、水分の多い廃棄物の場合には燃焼熱が廃棄物から蒸発する水分に奪われてしまうため、効率的に発熱量の回収を行うことが容易ではなかった。
【０００４】
また、通常、食品廃棄物等には塩化ナトリウム（ＮａＣｌ）が含まれている。そのため食品廃棄物を燃焼するとダイオキシン等が発生する可能性があり、前述の焼却処理を行う施設では排ガス処理設備を必要とした。従って、前述の焼却処理では発熱量回収のコストが嵩んでいた。
【０００５】
そこで、前述の焼却処理による発熱量の回収を行う方法とは異なる、別の方法によって有機性廃棄物からエネルギーを有効に回収することが鑑みられてきた。
【０００６】
このような有機性廃棄物からのエネルギー回収方法の一例として、以下のような方法がある。この方法では、有機性廃棄物をスラリー化し、その後スラリー化した有機性廃棄物を水溶性廃棄物にし、この水溶性廃棄物を嫌気性微生物が含まれる汚泥の中でメタン発酵させることでメタンガスを生成し、このメタンガスをエネルギーとして利用している（例えば、特許文献１及び特許文献２参照。）。
【０００７】
また、他の有機性廃棄物からのエネルギー回収方法の一例として、都市ガスなどでガスタービン発電機を稼働し、このときの排ガスを利用して有機性廃棄物を加熱して化学反応させることで、この有機性廃棄物をエネルギー化するシステムがある（例えば、特許文献３参照。）。
【０００８】
【特許文献１】
特開２００２−６６５０７号公報（第１−３頁、図１）
【特許文献２】
特開２００１−１１５１７４号公報（第１−４頁、図１）
【特許文献３】
特開２００２−１２６７９７号公報（第１−４頁、図１）
【発明が解決しようとする課題】
ところで、前述した有機性廃棄物からのエネルギー回収方法、例えば特許文献１及び特許文献２の技術では、スラリー化した有機性廃棄物をメタン発酵させてからエネルギー化していたため、処理後の固形廃棄物は利用せずに廃棄していた。
【０００９】
また、特許文献３の技術では、有機性廃棄物の処理に都市ガスなどを利用していたため、廃棄物エネルギーの有効利用をしているとは言い難かった。
【００１０】
また、有機性廃棄物から生成したバイオガスの場合、嫌気性微生物による処理であり、エネルギーの安定供給を行うことは容易ではなかった。このため、前述のバイオガスを単独の燃料として、外燃機関または内燃機関などの燃焼装置を稼働して安定した発電を行うことは容易ではなかった。
【００１１】
そこで不足するバイオガスを補うために化石燃料を燃焼装置で利用すると、化石燃料中に含まれる硫黄から硫黄酸化物（ＳＯｘ）が大量に発生する場合があるため、高価な燃料の選定もしくは排ガス処理設備の設置によりコストが嵩んでいた。
【００１２】
また、化石燃料を燃焼装置で用いた場合には、一般に燃焼火炎温度が高くなるため、空気中の窒素とより多く化合して、多量の窒素酸化物（所謂サーマルＮＯｘ）を発生させる為、別途、脱硝技術が必要となり、コストが嵩んでいた。
【００１３】
ところが、このような場合に化石燃料ではなく有機性廃棄物から生成したスラリー燃料を用いると、スラリーには、水分が調整され混入している為、水の熱乖離による火炎温度の低下により発生する窒素酸化物（サーマルＮＯｘ）が少なくて済む。このように、スラリー燃料を利用することで、有機性廃棄物の有効利用によって排ガス対策を講じるという環境対策が実施できる。
【００１４】
また、近年の地球温暖化対策の一環として、化石燃料から発生した二酸化炭素と有機性廃棄物（バイオマス）由来の燃料から発生した二酸化炭素とでは、二酸化炭素の発生量の算出方法が異なる。この点からも、有機性廃棄物（バイオマス）由来の燃料を有効利用する必要性が高まってきた。
【００１５】
本発明は、前記した事項に鑑みて為されたものであり、有機性廃棄物を有効利用することで環境保護対策に寄与する、有機性廃棄物燃料混合供給方法技術を提供しようとすることを課題とする。
【００１６】
【課題を解決するための手段】
前記した課題を解決するために、本発明は以下の手段とした。
【００１７】
即ち、本発明は、有機性廃棄物を反応器に投入し、反応器に投入した前記有機性廃棄物を加熱し、加熱した前記有機性廃棄物から水分を除去し、前記水分から水溶性または高含水率の有機性廃棄物を抽出し、水分調整した前記有機性廃棄物をスラリー燃料化し、水溶性または高含水率の有機性廃棄物をメタン発酵処理し、発生したメタンガスをバイオガスとして抽出し、前記スラリー燃料を燃焼装置の燃料として供給し、前記バイオガスを空気と混合して前記燃焼装置の吸気側に供給し燃焼させるようにした。
【００１８】
本発明は、有機性廃棄物から流動性のある固液混合物であるスラリー燃料と気体状のメタンガスを主成分とするバイオガスとを生成し、燃焼装置の燃料として供給する。従って、本発明によれば、二酸化炭素および窒素酸化物の発生量が低い有機性廃棄物の有効利用を行うことが可能となる。
【００１９】
また、有機性廃棄物から生成したスラリー燃料及びバイオガスは、埋蔵されている化石燃料と異なり、既に地表にある有機物から生成されるため、地表に存在する二酸化炭素が増加することを抑制できる。
【００２０】
また、このスラリー燃料は成分中に水分を含むため、また、バイオガスは３０％から７０％の割合で二酸化炭素を含むため、火炎面での燃焼反応過程において水と二酸化炭素の熱乖離反応により最高火炎温度を低くすることができ、結果としてサーマルＮＯｘを抑制する効果を得ることができる。
【００２１】
また、拡散燃焼であるスラリー燃料のみの燃焼に比べて、吸気側に空気過剰の状態でバイオガスを予め混入させた予混合燃料空気を使用することにより、燃焼装置において同じ熱量を得るための燃焼は予混合燃焼と拡散燃焼との混合となる。空気過剰状態の予混合燃焼が混在する事により局所的（拡散燃焼火炎面）な火炎温度上昇を抑制することができサーマルＮＯｘを更に低減することになる。
【００２２】
また、本発明は、前記スラリー燃料とバイオガスとの生成量に応じて、燃焼装置に供給するスラリー燃料とバイオガスとの燃料の供給比率の調整を行ってもよい。
【００２３】
本発明によれば、蓄積することが難しく供給量が安定しないバイオガスを用いた場合であっても、容易に蓄積することが可能な流動性のある固液混合物であるため安定供給が可能なスラリー燃料を混合することで、双方の燃料の供給量を調整して供給することができるため、有機性廃棄物燃料を用いる施設の安定運用ができる。
【００２４】
本発明は、バイオガスの生成量が少ない場合はスラリー燃料の供給比率を高め、バイオガスの生成量が多い場合にはバイオガスの供給比率を高めて、燃焼装置に必要な燃料を供給する。従って、本発明によれば、有機性廃棄物由来の燃料を安定して燃焼装置に供給することができる。
【００２５】
また、本発明は、抽出したバイオガスを用いて有機性廃棄物を加熱するようであってもよい。
【００２６】
本発明は、バイオガスを燃料として有機性廃棄物を加熱して水分調整処理を行う。従って、本発明によれば、バイオガスの生成量が過剰になった場合であっても、貯蔵することなく利用することができる。
【００２７】
【発明の実施の形態】
以下、本発明である、有機性廃棄物燃料混合供給方法の一実施の形態を、図面を参照しつつ説明する。
【００２８】
なお、本実施の形態において、本発明の有機性廃棄物燃料混合供給方法は、木屑、食品廃棄物、植物性廃棄物、並びに動物性廃棄物等の有機性廃棄物を、処理対象とする。そして、有機性廃棄物燃料混合供給方法では、この有機性廃棄物から生成した燃料を、燃焼装置の一形態である外燃機関に供給する。
【００２９】
図１は、本発明の有機性廃棄物燃料混合供給方法を実現する一形態である、有機性廃棄物燃料混合供給システムの概略図である。図１において、本システムは符号１で示す。
【００３０】
有機性廃棄物燃料混合供給システム１は、前述の有機性廃棄物である固形廃棄物３と水溶性または高含水率の有機性廃棄物である廃液４とを排出する工場２、上記固形廃棄物３に圧力と熱とを加えて不要な成分を水分と共に分離する反応器５、この反応器５を加熱する加熱器６、反応器５を経た固形廃棄物３から水分を調整するスラリー燃料化手段（脱水機７）、水分調整した固形廃棄物３をスラリー燃料として貯蔵するスラリー燃料タンク８とを有する。
【００３１】
また、有機性廃棄物燃料混合供給システム１は、上記工場２から排出される廃液４を嫌気性微生物によって処理する嫌気性消化槽９を有する。さらに、有機性廃棄物燃料混合供給システム１は、生成したスラリー燃料と嫌気性消化槽９で生成したバイオガスとを供給する、燃焼装置１１を有する。
【００３２】
本発明において工場２には、有機性の固形廃棄物、例えば木片チップ、麦がら等の植物性の廃棄物、動物性の廃棄物、食品廃棄物、家畜の糞尿、汚泥を排出するバイオマス等の設備が挙げられる。本発明において固形廃棄物３として取り扱うものには、木片チップ、麦がら等の植物性の廃棄物、動物性の廃棄物、食品廃棄物、家畜の糞尿、汚泥等のうち、有機性廃棄物が挙げられる。また、本発明において廃液４として取り扱うものには、主に家畜の糞尿、汚泥等の水溶性または高含水率の有機性廃棄物が挙げられる。
【００３３】
なお、本実施の形態において、固形廃棄物３及び廃液４を排出する施設の一例として工場２を挙げたが、本発明は特にこれに限定することなく、一般の家庭、農場、漁業業者、下水施設、廃棄物処理業者等の有機性廃棄物を排出するあらゆる施設、業者を想定したものである。
【００３４】
反応器５は、固形廃棄物３を高圧下で高温処理するための装置であり、管形の熱交換機や他の加熱装置からなる加熱器６と図示しない押込み機、ポンプ等の加圧手段とを有する。
【００３５】
本実施の形態において、この反応器５は、本発明の加熱工程を実現するための加熱手段である。なお、この加熱工程において、固形廃棄物３を反応器５にて高圧下で高温処理するのは、固形廃棄物３からスラリー燃料化に不要な成分を水分とともに分離するため、また固形廃棄物３の繊維質を分解するためである。
【００３６】
脱水機７は、本発明のスラリー燃料化工程を実現するスラリー燃料化手段であり、反応器５での処理を経た固形廃棄物３から水分とともに水溶性または高含水率の有機性廃棄物を調整し除去する。この水溶性または高含水率の有機性廃棄物が除去された固形廃棄物３は、スラリー燃料として取り扱う。また、スラリー燃料から除去された水溶性または高含水率の有機性廃棄物は、前述の廃液４と同様に取り扱う。なお、本実施の形態において、スラリー燃料化手段は、固形廃棄物３から水分を除去する脱水機７であったが、本発明はこれに限らず、例えばスラリー燃料化に必要な水分を加えることができる手段であってもよい。
【００３７】
スラリー燃料タンク８は、反応器５及び脱水機７にて高圧下で高温処理されたスラリー燃料を、減圧して貯蔵する。生成されたスラリー燃料は、本発明のスラリー燃料供給工程を実現するためのスラリー燃料供給手段であるスラリー燃料供給装置１２ａにより燃焼装置１１に供給される。
【００３８】
嫌気性消化槽９は、水溶性または高含水率の有機性廃棄物である廃液４をメタン発酵処理するものであり、本発明のバイオガス抽出工程を実現するためのバイオガス抽出手段である。
【００３９】
この嫌気性消化槽９には、嫌気性微生物が含まれる汚泥等の消化液を貯蔵している。嫌気性微生物には、酸生成菌、メタン生成菌等の有機物を分解するバクテリアが挙げられる。
【００４０】
嫌気性消化槽９では、上記のような構成により、廃液４を低分子化して有機酸を生成しメタンガスを生成する、所謂メタン発酵処理を行う。嫌気性消化槽９で生成されたメタンガスは、必要な量だけ加熱器６に供給され、過剰に生成されたメタンガスは燃焼装置１１に供給されることによって有効に消費される。
【００４１】
本発明の混合気供給手段は、本実施の形態において混合気生成装置１０と混合気供給装置１２ｂとからなる。混合気生成装置１０は、嫌気性消化槽９で生成されたメタンガスを空気と理想的な空燃比となるような混合気を生成する。混合気供給装置１２ｂは、この混合気を燃焼装置１１に供給する。
【００４２】
本実施の形態において燃焼装置１１とは、蒸気機関、スターリングエンジン等の外燃機関、ガスタービンエンジン、マイクロガスタービンエンジン、ガスエンジン、ディーゼルエンジン等の内燃機関、燃料電池等、有機物の分解反応から動力もしくは電力を得ることができる反応装置である。この燃焼装置１１は、前述した固形廃棄物３から生成されたスラリー燃料と、固形廃棄物３及び廃液４から生成されたメタンガスであるバイオガスとを燃料として用いる。非常用および安定運転の為の化石燃料を用いる場合がある。
【００４３】
本発明のスラリー燃料とバイオガスとを混合して供給する供給手段を実現するのは、前述のスラリー燃料供給装置１２ａ及び混合気供給装置１２ｂである。このスラリー燃料供給装置１２ａと混合気供給装置１２ｂとは、後述する供給比率調整装置の指示により、燃焼装置１１へのスラリー燃料の供給量を調整する。
【００４４】
次に、本発明の有機性廃棄物燃料混合供給システム１における、燃焼装置１１に対するスラリー燃料とバイオガスとの供給方法について説明する。
【００４５】
図２は、本実施の形態における、燃焼装置１１に対するスラリー燃料とバイオガスとの供給比率調整工程の手順を示すフローチャートである。このフローチャートの手順は、本発明の供給比率調整手段によって行われる。なお、この供給比率調整手段は、本実施の形態では特に図示しないが、例えば汎用のコンピュータに供給比率調整手順をプログラムとしてインストールして供給比率調整手段として用い、本発明のスラリー燃料供給手段を制御して、供給比率の調整をするや機械式リンク機構による制御などの方法が挙げられる。
【００４６】
まず、供給比率調整手段は、バイオガスの発生量をチェックする（図２におけるステップ１０１、以下Ｓ１０１のように省略する）。
【００４７】
次に、供給比率調整手段は、スラリー製造に関する必要熱量のチェック、及びバイオガス燃焼による熱量の供給を行う（Ｓ１０２）。
【００４８】
供給比率調整手段は、余剰バイオガスの燃焼機関１１への供給を行う（Ｓ１０３）。
【００４９】
供給比率調整手段は、燃焼機関１１の運転継続に必要なスラリー燃料を確保するため、スラリー燃料投入制御を行う（Ｓ１０４）。
【００５０】
なお、この供給比率調整手段は、以下のようにスラリー燃料とバイオガスとの供給量調節を行ってもよい。
【００５１】
まず、供給比率調整手段は、スラリー燃料とバイオガスとの生成量をチェックする（図３におけるステップ２０１、以下Ｓ２０１と省略する）。
【００５２】
供給比率調整手段は、バイオガスの生成量が燃焼装置１１に供給する量を超過しているか否か、即ち供給過剰であるか否かを判断する（Ｓ２０２）。このときバイオガスの生成量が供給過剰でない場合はステップ２０５へ進む。また、バイオガスの生成量が供給過剰である場合にはステップ２０３へ進む。
【００５３】
バイオガスの生成量が供給過剰である場合、供給比率調整手段は、スラリー燃料供給手段に対して、燃焼装置１１へのスラリー燃料の供給量が過剰とならないように、当該供給量を減少するような処理を行う（Ｓ２０３）。
【００５４】
その後、供給比率調整手段は、バイオガスの生成量に応じて、供給過剰となったバイオガスを余剰バイオガスとして、この余剰バイオガスを加熱器６に供給する処理を行う（Ｓ２０４）。
【００５５】
供給比率調整手段は、スラリー燃料及びバイオガス各々の供給量が、燃焼装置１１に対して適切な範囲になるように調整する（Ｓ２０５）。
【００５６】
供給比率調整手段は、スラリー燃料供給手段及び混合気供給手段に対して、ステップ２０５で調整した燃料の供給量を燃焼装置１１に供給するように指示する（Ｓ２０６）。
【００５７】
上記した供給比率調整工程の手順を供給比率調整手段が実施することによって、本発明は、有機性廃棄物由来の燃料を安定して燃焼装置に供給することがすることができる。
【００５８】
次に、本実施の形態における本発明の有機性廃棄物燃料混合供給システム１による有機性廃棄物燃料混合供給方法実施の手順を、フローチャートを用いて説明する。
【００５９】
図４は、有機性廃棄物燃料混合供給方法の手順を示すフローチャートである。
【００６０】
まず、有機性廃棄物燃料混合供給システム１は、固形廃棄物３を反応器に投入し、反応器に投入した固形廃棄物３を反応器５にて加熱する加熱工程を実施する（図４におけるステップ３０１、以下Ｓ３０１のように省略する）。
【００６１】
有機性廃棄物燃料混合供給システム１は、脱水機７によって、加熱した固形廃棄物３から水分を調整し除去し、除去した水分から水溶性または高含水率の有機性廃棄物を抽出して、水分調整した固形廃棄物３をスラリー燃料化するスラリー燃料化工程を実施する（Ｓ３０２）。
【００６２】
有機性廃棄物燃料混合供給システム１は、前述した水溶性または高含水率の有機性廃棄物と工場２から排出された廃液４とを、嫌気性微生物が含まれる嫌気性消化槽９でメタン発酵処理して、発生したメタンガスをバイオガスとして抽出するバイオガス抽出工程を行う（Ｓ３０３）。
【００６３】
有機性廃棄物燃料混合供給システム１は、スラリー燃料供給装置１２ａにより前記スラリー燃料を燃焼装置の燃料として供給するスラリー燃料供給工程を実施する（Ｓ３０４）。
【００６４】
有機性廃棄物燃料混合供給システム１は、混合気生成装置１０により前記バイオガスを空気と混合して、混合気供給装置１２ｂにより前記燃焼装置の吸気側に供給する混合気供給工程を実施する（Ｓ３０５）。
【００６５】
上記の本実施の形態により、本発明は以下のような効果を実現できる。
【００６６】
まず、本発明によれば、空気と予め混合させることにより、希薄予混合燃焼を一部、実現する事ができ、窒素酸化物が少ない運転を実現することが可能となる。
【００６７】
また、有機性廃棄物から生成したスラリー燃料及びバイオガスは、埋蔵されている化石燃料と異なり、既に地表にある有機物から生成されるため、地表に存在する二酸化炭素が増加することを抑制できる。
【００６８】
さらに、このスラリー燃料は成分中に水分を含んでいるため、水の熱乖離現象により最高火炎温度を低くすることができ、結果としてサーマルＮＯｘを抑制することができる。
【００６９】
また、本発明によれば、供給量が安定しないバイオガスを用いても、安定供給が可能なスラリー燃料を混合し、供給量を調整して供給することができるため、有機性廃棄物燃料を用いる施設の安定運用ができる。
【００７０】
また、本発明によれば、有機性廃棄物由来の燃料を安定して燃焼装置に供給することができる。
【００７１】
さらに、本発明によれば、バイオガスの生成量が過剰になった場合であっても、貯蔵することなく利用することができる。
【００７２】
加えて、本発明によれば燃焼に用いる空気にバイオガスを混合して供給するため、吸気に含まれる窒素が減り、結果として窒素酸化物の発生を抑制することができる。
【００７３】
〔その他の実施形態〕
なお、本発明の有機性廃棄物燃料混合供給方法は、本実施の形態にのみ限定されるものではなく、本発明の要旨を逸脱しない範囲内において種々変更を加え得ることは勿論である。
【００７４】
例えば以下の各項に示した構成であっても前記の実施形態と同様の効果が得られる。
【００７５】
〔１〕
有機性廃棄物から生成したスラリー燃料と有機性廃棄物から生成したバイオガスとを混合して燃焼装置に供給する、有機性廃棄物燃料混合供給方法。
【００７６】
〔２〕
有機性廃棄物を反応器に投入し、反応器に投入した前記有機性廃棄物を加熱する加熱工程と、
加熱した前記有機性廃棄物から水分を除去し、前記水分から水溶性または高含水率の有機性廃棄物を抽出して、水分調整した前記有機性廃棄物をスラリー燃料化するスラリー燃料化工程と、
水溶性または高含水率の有機性廃棄物をメタン発酵処理して、発生したメタンガスをバイオガスとして抽出するバイオガス抽出工程と、
前記スラリー燃料を燃焼装置の燃料として供給するスラリー燃料供給工程と、
前記バイオガスを空気と混合して前記燃焼装置の吸気側に供給する混合気供給工程とからなる、〔１〕に記載の有機性廃棄物燃料混合供給方法。
【００７７】
〔３〕
前記スラリー燃料とバイオガスとの生成量に応じて、燃焼装置に供給するスラリー燃料とバイオガスとの燃料の供給比率を調整する供給比率調整工程を行う、〔２〕に記載の有機性廃棄物燃料混合供給方法。
【００７８】
〔４〕
前記加熱工程では、
前記バイオガス抽出工程で抽出したバイオガスを用いて有機性廃棄物を加熱する、〔２〕または〔３〕に記載の有機性廃棄物燃料混合供給方法。
【００７９】
〔５〕
有機性廃棄物から生成したスラリー燃料と有機性廃棄物から生成したバイオガスとを混合して燃焼装置に供給する供給手段を備える、有機性廃棄物燃料混合供給システム。
【００８０】
〔６〕
有機性廃棄物を反応器に投入して、反応器に投入した前記有機性廃棄物を加熱する加熱手段と、
加熱した前記有機性廃棄物から水分を除去し、前記水分から水溶性または高含水率の有機性廃棄物を抽出して、水分調整した前記有機性廃棄物をスラリー燃料化するスラリー燃料化手段と、
水溶性または高含水率の有機性廃棄物をメタン発酵処理して、発生したメタンガスをバイオガスとして抽出するバイオガス抽出手段と、
前記スラリー燃料を燃焼装置の燃料として供給するスラリー燃料供給手段と、
前記バイオガスを空気と混合して前記燃焼装置の吸気側に供給する混合気供給手段とを備える、〔５〕に記載の有機性廃棄物燃料混合供給システム。
【００８１】
〔７〕
前記スラリー燃料とバイオガスとの生成量に応じて、燃焼装置に供給するスラリー燃料とバイオガスとの燃料の供給比率を調整する供給比率調整手段を備える、〔６〕に記載の有機性廃棄物燃料混合供給システム。
【００８２】
〔８〕
前記加熱手段が、
前記バイオガス抽出工程で抽出したバイオガスを用いて有機性廃棄物を加熱する、〔６〕または〔７〕に記載の有機性廃棄物燃料混合供給システム。
【００８３】
本発明において、以上の各構成要素は、可能な限り組み合わせることができる。
【００８４】
【発明の効果】
以上、説明したように本発明の有機性廃棄物燃料混合供給方法によれば、有機性廃棄物を有効利用することで環境保護対策に寄与するという優れた効果を奏し得る。
【図面の簡単な説明】
【図１】本発明の一実施の形態である、有機性廃棄物燃料混合供給システムの概略構成図。
【図２】本実施の形態における、供給比率調整工程の手順を示すフローチャート。
【図３】本実施の形態における、供給比率調整工程の手順を示すフローチャート。
【図４】本実施の形態における、有機性廃棄物燃料混合供給システムの手順を示すフローチャート。
【符号の説明】
１  有機性廃棄物燃料混合供給システム
２  工場
３  固形廃棄物
４  廃液
５  反応器
６  加熱器
７  脱水機
８  スラリー燃料タンク
９  嫌気性消化槽
１０  混合気生成装置
１１  燃焼装置
１２ａ  スラリー燃料供給装置
１２ｂ  混合気供給装置
【図１】
2004161973.tif 000003
【図２】
2004161973.tif 000004
【図３】
2004161973.tif 000005
【図４】
2004161973.tif 000006